(57)【要約】      （修正有）【課題】内蔵チャンネルを有する積み重ね可能な容器を提供する。【解決手段】飲料用の容器１は、本体２および蓋３を含む。本体２は、飲料を貯蔵するための内部容積を規定する底壁２３および側壁２２を含む。本体２は、内部容積と流体連通する内蔵チャンネル２０をさらに含む。内蔵チャンネル２０は、本体２の高さ全体に実質的に沿って延在し、上部開口部２４および下部開口部２５を含む。蓋３は、内部容積を密封するために本体２に取り付けられるように構成される。蓋３は、突起３１を含む。内蔵チャンネル２０は、本体２の上縁を超えて伸び、蓋３の突起３１内に部分的に受け入れられる。突起３１は、内蔵チャンネル２０の上部に一致する下向きに延びる溝３４を含む。【選択図】図２Ａ
0003234543.tif 000002
【実用新案登録請求の範囲】
【請求項１】
飲料用の容器であって、
前記飲料を貯蔵するための内部容積を規定する底壁および側壁を含む本体であって、前記本体は、前記内部容積と流体連通する内蔵チャンネルをさらに含み、前記内蔵チャンネルは、実質的に前記本体の高さ全体に沿って延在し、上部開口部を有する上部と、下部開口部を有する下部とを含む本体と、
前記内部容積を密封するために前記本体に取り付けられるように構成された蓋であって、前記蓋は突起を含む蓋と、を含み、
前記内蔵チャンネルは、前記本体の上縁を超えて伸び、前記蓋の突起内に部分的に受け入れられ、
前記突起は、前記内蔵チャンネルの前記上部に一致する下向きに延びる溝を含む、容器。
【請求項２】
前記内蔵チャンネルは、前記内部容積の内側または外側に設けられている、請求項１に記載の容器。
【請求項３】
前記内蔵チャンネルは、前記本体の側壁内に設けられている、請求項１に記載の容器。
【請求項４】
前記内蔵チャンネルの前記上部は、前記下向きに延びる溝に適合されている、請求項１に記載の容器。
【請求項５】
前記下向きに延びる溝は、前記内蔵チャンネルの前記上部に適合されている、請求項１に記載の容器。
【請求項６】
前記本体は、アイスキューブが上部容積に含まれるように、前記内部容積を前記上部容積と下部容積とに分割するための仕切りを含む、請求項１に記載の容器。
【請求項７】
前記仕切りが、複数の穴を含むふるい状のスクリーンフィルターである、請求項６に記載の容器。
【請求項８】
前記本体は、チャンネル壁を含み、前記チャンネル壁は、前記内蔵チャンネルを形成し、前記内蔵チャンネルは、前記本体の前記側壁に少なくとも部分的に取り付けられている、請求項１に記載の容器。
【請求項９】
前記本体は、チャンネル壁を含み、前記チャンネル壁および前記側壁の一部は、一緒になって前記内蔵チャンネルを形成する、請求項１に記載の容器。
【請求項１０】
前記下部開口部は、１つまたは複数の側面開口部を含む、請求項１に記載の容器。
【請求項１１】
前記突起は、前記突起の周りに事前に製造された、壊れやすい弱められた線を含む、請求項１に記載の容器。
【請求項１２】
前記内蔵チャンネルは、前記内蔵チャンネルが使用されていないときに、前記本体の前記側壁の前記上縁と一列に並ぶか、またはそれよりわずかに低くなるように構成されたベローズチューブ部を含む、請求項１に記載の容器。
【請求項１３】
前記内蔵チャンネルの前記上部は、前記本体の前記側壁から離間している、請求項１に記載の容器。
【請求項１４】
前記飲料は、液体および固体を含む、請求項１に記載の容器。
【請求項１５】
前記本体は、上から下に向かう先細り形状を有し、前記本体の前記側壁は、２つの端部を有するらせん状の断面を有し、前記側壁の一端部は、前記内蔵チャンネルの一端に接続し、前記側壁の他方の端部は、前記内蔵チャンネルの反対側の端に接続する、請求項３に記載の容器。
【請求項１６】
容器の積み重ねであって、前記積み重ねは、請求項１５に記載の複数の容器を含む積み重ね。
【請求項１７】
第１容器および第２容器を含む請求項１６に記載の容器の積み重ねであって、前記第１容器の前記内蔵チャンネルは、前記第２容器の前記内蔵チャンネルの隣に配置される積み重ね。
【考案の詳細な説明】
【技術分野】
【０００１】
本開示は概して、内部チャンネルを備える容器に関し、これは、固体を含む場合も含まない場合もある飲料を消費するのに特に有用である。
【０００２】
世界で勢いを得ている環境意識の高まりを背景に、国、多くの都市、および大手企業が使い捨て脱着式プラスチック製ストローの使用を全面的に禁止することを発表した。使い捨て脱着式プラスチック製ストローは、環境および海洋生物に大きな損害を与えることがわかっている。そのような害の写真およびビデオの両方が、使い捨て脱着式プラスチック製ストローを禁止すべきであるというコンセンサスの高まりに拍車をかけている。
【０００３】
ほとんどの飲料では、このような禁止は問題にならない。しかし、固体がその中に入っているアジアの特殊な飲み物の多くは、これが大きな問題となる。ゼリー、スターチ、フルーツ、ブレンドアイスなどを含む飲料は、容器を実質的に傾けたり、そのような内容物を容器から効果的に注いだりすることなく、飲料容器の底から容器の上部および消費者の口にそのような固体を送達できる真空を作り出すのを助けためのストローがないと最適に楽しむことができない。
【０００４】
様々な生分解性または堆肥化可能な材料で作られたストローなどの様々な代替物が開発されてきたが、例えば、より高い製造コストまたは容易に生分解されないため、一般に不経済である。したがって、使い捨て脱着式プラスチック製ストローの禁止に対する経済的でありながら実用的な解決策に対する市場のニーズがある。
【考案の概要】
【課題を解決するための手段】
【０００５】
本明細書で提供されるのは、飲料用の容器であり、容器は、本体および蓋を含み、本体は、飲料を貯蔵するための内部容積を規定する底壁および側壁を含み、本体は、内部容積と流体連通する内蔵チャンネルをさらに含み、内蔵チャンネルは、実質的に本体の高さ全体に沿って延在し、上部開口部を有する上部と、下部開口部を有する下部とを含み、蓋は、内部容積を密封するために本体に取り付けられるように構成され、蓋は突起を含み、内蔵チャンネルは、本体の上縁を超えて伸び、蓋の突起内に部分的に受け入れられ、突起は、内蔵チャンネルの上部に一致する下向きに延びる溝を含む。
【０００６】
特定の態様によれば、内蔵チャンネルは、内部容積の内側または外側に設けられている。
【０００７】
特定の態様によれば、内蔵チャンネルは、本体の側壁に設けられている。
【０００８】
特定の態様によれば、内蔵チャンネルの上部は、下向きに延びる溝に適合されている。
【０００９】
特定の態様によれば、下向きに延びる溝は、内蔵チャンネルの上部に適合されている。
【００１０】
特定の態様によれば、本体は、アイスキューブが上部容積に含まれるように、内部容積を上部容積と下部容積とに分割するための仕切りを含む。仕切りが、複数の穴を含むふるい状のスクリーンフィルターである。
【００１１】
特定の態様によれば、本体は、チャンネル壁を含み、チャンネル壁は、内蔵チャンネルを形成し、内蔵チャンネルは、本体の側壁に少なくとも部分的に取り付けられている。
【００１２】
特定の態様によれば、本体は、チャンネル壁を含み、チャンネル壁および側壁の一部は、一緒になって内蔵チャンネルを形成する。
【００１３】
特定の態様によれば、下部開口部は、１つまたは複数の側面開口部を含む。
【００１４】
特定の態様によれば、突起は、突起の周りに事前に製造された、壊れやすい弱められた線を含む
【００１５】
特定の態様によれば、内蔵チャンネルは、内蔵チャンネルが使用されていないときに、本体の側壁の上縁と一列に並ぶか、またはそれよりわずかに低くなるように構成されたベローズチューブ部を含む。
【００１６】
特定の態様によれば、内蔵チャンネルの上部は、本体の側壁から離間している。
【００１７】
特定の態様によれば、飲料は、液体および固体を含む。
【００１８】
特定の態様によれば、本体は、上から下に向かう先細り形状を有し、本体の側壁は、２つの端部を有するらせん状の断面を有し、側壁の一端部は、内蔵チャンネルの一端に接続し、側壁の他方の端部は、内蔵チャンネルの反対側の端に接続する。
【００１９】
本明細書で提供されるのは容器の積み重ねであり、スタックは、上記態様による複数の容器を含む。
【図面の簡単な説明】
【００２０】
添付の図面は、本開示の上記および他の態様、利点、および特徴をさらに例示および明確にするための図を含む。これらの図面は、本開示の特定の実施形態のみを示しており、その範囲を限定することを意図していないことが理解されよう。これらの図面は必ずしも一定の縮尺で描かれているわけではないことも理解されよう。本開示は、以下の添付の図面を使用することにより、追加の具体性および詳細とともに今記載および説明されよう。
【００２１】
【図１】本開示の特定の実施形態による、内蔵チャンネルを備える容器の透視図である。
【００２２】
【図２Ａ】本開示の特定の実施形態による、内蔵チャンネルを備える容器の断面図である。
【００２３】
【図２Ｂ】本開示の特定の実施形態による、内蔵チャンネルおよび仕切りを備える容器の断面図である。
【００２４】
【図２Ｃ】本開示の特定の実施形態による、内蔵チャンネルを有する別の容器の断面図である。
【００２５】
【図３】本開示の特定の実施形態による、容器の蓋の平面図である。
【００２６】
【図４】図４Ａ−４Ｄは、本開示の特定の実施形態による、内蔵チャンネルの下部の拡大図である。
【００２７】
【図５】本開示の特定の実施形態による、内蔵チャンネルを備える別の容器の断面図である。
【００２８】
【図６】本開示の特定の実施形態による、内蔵チャンネルを備える別の容器の断面図である。
【００２９】
【図７Ａ】本開示の特定の実施形態による、内蔵チャンネルを備える別の容器の断面図である。
【００３０】
【図７Ｂ】本開示の特定の実施形態による、内蔵チャンネルを備える別の容器の断面図である。
【００３１】
【図８Ａ】本開示の特定の実施形態による、内蔵チャンネルを備える別の容器の断面図である。
【００３２】
【図８Ｂ】本開示の特定の実施形態による、内蔵チャンネルおよび仕切りを備える別の容器の断面図である。
【００３３】
【図８Ｃ】図８Ａの容器の上面図である。
【００３４】
【図８Ｄ】図８Ａの３つの容器の上面図である。
【００３５】
【図９Ａ】本開示の特定の実施形態による、内蔵チャンネルを備える別の容器の断面図である。
【００３６】
【図９Ｂ】本開示の特定の実施形態による、内蔵チャンネルおよび密封開口部を備える別の容器の断面図である。
【考案を実施するための形態】
【００３７】
（考案の詳細な説明）
図１は、本開示の特定の態様による、容器１の概略図である。容器１は、本体２および蓋３を含む。容器１は飲料を保管するために使用される。容器１は、金属（例えば、ステンレス鋼）、プラスチック（例えば、ＰＥＴ、ＨＤＰＥ、ＰＶＣ、ＬＤＰＥ、ＰＰ、ＰＳおよびＰＣ）、紙（例えば、ワックスペーパー）、ガラス、木材、セラミック、またはそれらの組み合わせなど、あらゆる食品グレード材料で作られ得る。容器の製造方法は、使用する材料によって異なるが、例えば、成形、鋳造、機械加工、鍛造、プレス、溶接などが挙げられる。このような方法は、当業者の能力の範囲内であり、本明細書ではこれ以上詳細に説明しない。容器１は、再利用可能なものであっても、使い捨てのものであってもよい。容器１は、カップ、ボトル、缶、パウチ、カートリッジ、カプセルなど、任意の適切な形態をとることができる。
【００３８】
容器１の本体２は、異なる形状または構成をとることができる。本体２は、規則的または不規則な形状を有することができる。特定の実施形態では、本体２は、実質的に円筒形の形状、切頭円錐形の形状、立方体の形状、または任意の他の望ましい形状を有することができる。
【００３９】
容器１の蓋３は、それが本体２を効果的に密閉し、そこからの飲料の漏れを少なくとも部分的にまたは完全に防ぐことができる限り、様々な形状または構成をとることができる。
【００４０】
図２Ａは、容器１の断面図である。本体２は、側壁２２と底壁２３とを含み、これらが一体となって、飲料を貯蔵するための本体２内の内部容積を規定する。飲料は、液体（例えば、ミルク、お茶、ワイン、水、ジュース、およびこれらの組み合わせ）、液体と気体の混合物（例えば、ソーダまたはビールなどの炭酸飲料）、液体と固体の混合物（例えば、ボバ、ゼリー、果物、スムージー、ブレンドアイス、ガーニッシュまたはドリンクの調味料を使用したドリンク）、または粘性のある液体（例えば、ミルクセーキおよびヨーグルト）の形態であり得る。本開示から明らかになるように、本開示の容器１は、バブルティーなどの液体と固体とを含む飲料に特に適している。
【００４１】
特定の実施形態では、本体２の側壁２２の上縁は、蓋３の外側縁３２によって規定される円周方向のノッチ内に受け入れられ、それによって蓋３が本体２に固定される。蓋３を本体２に固定するための他の形態も可能であり、本開示の範囲内である。例えば、蓋３は、本体２の上縁および／または蓋３の外側縁３２に設けられたスナップフィット、ロックキャッチ、ねじ接続、または本分野で知られている他の手段によって、本体２に取り付けられ得る。側壁２２の上縁と蓋３の外側縁３２との間の緊密な結合により、蓋３と本体２との間に密封が形成され、本体２の内部容積からの飲料の漏出が防止されるか、少なくとも制限される。本分野で知られている代替または追加の密封手段も可能である。
【００４２】
特定の実施形態では、本体２内にチャンネル壁２１が設けられている。チャンネル壁２１は、単独で、または本体２の側壁２２の一部と組み合わせて、本体２の内部容積内で、本体２の内部容積と流体連通する内蔵チャンネル２０を規定する。特定の実施形態では、チャンネル壁２１は、本体２の側壁２２に溶接、接着、またはその他の方法で恒久的に取り付けられ得る。特定の実施形態では、チャンネル壁２１は、本体２と一体的に形成され得る。内蔵チャンネル２０は、上部開口部２４を有する上部と、下部開口部２５を有する下部とを有する。内蔵チャンネル２０は、消費者がチャンネル内に真空を作り、液体飲料およびそれに含まれる固体を内蔵チャンネル２０を通して引き込むことを可能にするので、消費者は、脱着式プラスチック製ストローを必要とせずに、容器１の本体２の内部容積内で飲料ドリンクを楽しむことができる。内蔵チャンネル２０は、本体２の底部から上部まで、本体２の高さ全体に沿って実質的に延びている。
【００４３】
特定の実施形態では、内蔵チャンネル２０の下部開口部２５は、飲料、特に飲料の固体粒子が内蔵チャンネル２０に流入できるように、本体２の底壁２３から距離ｄだけ離れている。特定の実施形態では、距離ｄは、０．１〜２．５ｃｍ、０．５〜２．０ｃｍ、０．７〜１．５ｃｍ、または０．９〜１．２ｃｍとし得る。特定の実施形態では、内蔵チャンネル２０の上部開口部２４は、本体２の側壁２２の上縁と並ぶか、それよりもわずかに低い。特定の実施形態では、内蔵チャンネル２０の上部は、ベローズチューブ部を含む（図７Ａ）。内蔵チャンネル２０の上部開口部２４は、内蔵チャンネル２０が使用されていないときには、本体２の側壁２２の上縁と並ぶか、またはそれよりもわずかに低い。ベローズチューブ部は、使用時に上部開口部２４が本体２の側壁２２の上縁を越えて距離Ｄだけ突出できるように延長することができる。代わりに、上部開口部２４は、距離Ｄだけ側壁２２の上縁を超えて突出することができる。特定の実施形態では、距離Ｄは、０〜４ｃｍ、１〜３ｃｍ、または１．５〜２．５ｃｍとすることができる。突出した配置により、内蔵チャンネル２０を従来のストローにより近い形にすることができ、それにより内蔵チャンネルを消費者が使用するためによりアクセスしやすくすることができる。特定の実施形態では、内蔵チャンネル２０の上部は、消費者の唇によって内蔵チャンネル２０の上部を容易に取り囲むことができるように、本体２の側壁２２から間隔を空けている。そして、吸引力を加えることで、内蔵チャンネル２０の内部に真空を作り出すことができる。内蔵チャンネル２０の断面寸法は、飲料、特に飲料の固体粒子を適切な流量で容易に吸引できるように規定されている。断面寸法の選択は、当業者の技量の範囲内であり、飲料中に存在する任意の固体の寸法および硬度に基づいて部分的に選択され得る。特定の実施形態では、内蔵チャンネル２０は、０．１〜２．５ｃｍ、０．５〜２．０ｃｍ、０．７〜１．５ｃｍ、または０．９〜１．２ｃｍの断面寸法を有する。
【００４４】
特定の実施形態では、図２Ｂに示すように、本体２内に仕切り２７が設けられている。仕切り２７は、その上に複数の穴が設けられた、ふるい状のスクリーンフィルターである。穴は、液体と小さな固体とが通過することを可能にし、実質的に大きなサイズのアイスキューブと固体とが通過することを防止するようなサイズにされ得る。本体２内の内部容積は、仕切り２７によって上部容積２８と下側容積２９とに仕切られている。特に、容器１の底部に固体を含み、飲料中にアイスキューブが浮かんでいる一部の飲料の場合、固体とアイスキューブとが混ざっているため、消費者が飲料を早く飲むと、固体をアイスキューブから分離するのに十分な液体がないため、消費者がアイスキューブを介して固体を吸引することが困難になる場合がある。したがって、仕切り２７は、有利には、アイスキューブを上部容積２８内に保持し、消費者に不都合な方法で固体とアイスキューブとが混合するのを防ぐことができる。仕切り２７は、着脱式スクリーンフィルターであってもよく、容器１の高さ全体に沿って位置を調整可能であってもよい。仕切り２７は、直線的で平面的なスクリーンフィルターであることに限定されない。本開示の精神を逸脱しない範囲で、凹形状または凸形状など、他の形状および曲率を有するスクリーンフィルターを用いてもよい。
【００４５】
図２Ｃは、本開示の特定の態様による、内蔵チャンネルを有する別の容器１の断面図を示す。これらの実施形態では、内蔵チャンネル２０を容器１の本体２に恒久的に取り付けるのではなく、内蔵チャンネル２０は、分離したチャンネル、または容器１の本体２に部分的に取り付けられたチャンネルとして下に突出される。内蔵チャンネル２０は、本体２の底部から上部まで、本体２の高さ全体に沿って実質的に延びている。特定の実施形態では、内蔵チャンネル２０は、底壁２３または側壁２２まで延びていてもよい。特定の実施形態では、内蔵チャンネル２０は、本体２の内部容積内で、本体２の内部容積と流体連通している。内蔵チャンネル２０は、上部開口部２４を有する上部と、下部開口部２５を有する下部とを有する。内蔵チャンネル２０は、消費者がチャンネル内に真空を作り、液体飲料およびそれに含まれる固体を内蔵チャンネル２０を通して引き込むことを可能にするので、消費者は、脱着式プラスチック製ストローを必要とせずに、容器１の本体２の内部容積内で飲料ドリンクを楽しむことができる。
【００４６】
図３は、外側縁３２と、外側縁３２の近傍に設けられた突起３１と、突起３１と外側縁３２をつなぐ平面３３とを含む蓋３の平面図である。突起３１は、蓋３と一体である。突起３１は、内蔵チャンネル２０の上部を受け入れるために中空になっており、容器および蓋の中に実質的に気密性の高い環境を作るのに役立つ。特定の実施形態では、突起３１は、内蔵チャンネル２０の上部分のプロファイルに適合する下向きに延びる溝３４を含む。内蔵チャンネル２０の上部は、溝３４に適合することができ、それによって、蓋３の本体２への結合が容易になる。内蔵チャンネル２０が本体２の上縁を超えて延びている場合、突起３１は、外部の汚染から内蔵チャンネル２０の上部を保護する。また、追加の機械的サポートを設けることで、輸送、保管、および使用中に内蔵チャンネル２０が物理的に損傷するリスクを低減することができる。
【００４７】
特定の実施形態では、蓋３は、本体２が飲料で満たされた後、本体２に取り外し可能に取り付けられる。特定の実施形態では、蓋３は、本体２が飲料で満たされた後、蓋３を本体２に恒久的に取り付けることができる。これらの実施形態では、突起３１と内蔵チャンネル２０との間の結合は実質的に気密になり、蓋３の突起３１は破断可能にすることができる。特定の実施形態では、図３に示すように、蓋３の突起３１の周囲に弱められた線３５が予め形成されている。例えば、弱められた線３５は、材料の削減、より弱い材料の使用、プルタブの提供、または本分野で知られている他の手段によって、密封機能および／または真空機能を劣化させることなく作製され得る。弱められた線３５により、適切な力を加えることで、突起３１の上部を突起３１の残りの部分から引き裂くことができる。このように、突起３１の残りの部分は、本体２の内蔵チャンネル２０と一緒にストローとして機能する。特定の実施形態では、突起３１は、脱着式キャップを含む。キャップの開放または除去により、突起３１の残りの部分および本体２の内蔵チャンネル２０がストローとして機能する。蓋３の平面３３には、１つまたは複数の通気穴（図示せず）を設けることができる。通気穴は、平面３３を貫通させたり、蓋３の一部を除去したり、平面３３に交差スリットを設けたりすることで作製され得る。
【００４８】
図４Ａ〜４Ｄは、本開示の特定の実施形態による、内蔵チャンネル２０の下部開口部２５の変形例を示す。内蔵チャンネル２０の底部の開口部２５１の他に、内蔵チャンネル２０の下部に１つまたは複数の側面開口部２５２がさらに設けられている。図４Ａは、底部開口部２５１に隣接する１つの側面開口部２５２を示し、図４Ｂは、底部開口部２５１に隣接する２つの対向する側面開口部２５２を示し、図４Ｃは、底部開口部２５１に隣接する３つの円周状に配置された側面開口部２５２を示す。図４Ｄは、底部開口部２５１から隔離された３つの側面開口部２５１を示す。側面開口部２５２は、容器１内の飲料が液体と固体と含む場合に特に有用である。固体粒子は、様々なサイズであってよい。内蔵チャンネル２０の断面寸法よりも大きなサイズを有する固体粒子が存在し得、消費者によって吸引が行われたときに、内蔵チャンネル２０の底部開口部２５１を部分的に塞いだり、または塞いだりし得る。そのような状況下で、側面開口部２５２は、液体が依然として内蔵チャンネル２０に沿って吸引されることを保証する。なお、本開示では、彼らが内蔵チャンネル２０を介して本体２内から液体および／または固体を吸引することを容易にすることができる限り、側面開口部２５２の数、形状、または分布にいかなる制限も課すことを意図していない。
【００４９】
図５は、本開示のある実施形態による、別の内蔵チャンネル２０を示す。チャンネル壁２１は、単独で、または本体２の側壁２２の一部と組み合わせて、本体２の内部容積内で、本体２の内部容積と流体連通する内蔵チャンネル２０を規定する。特定の実施形態では、チャンネル壁２１は、本体２の側壁２２に溶接、接着、またはその他の方法で恒久的に取り付けられ得る。特定の実施形態では、チャンネル壁２１は、本体２と一体的に形成され得る。これらの実施形態では、内蔵チャンネル２０は、本体の底壁２３まで延びている。したがって、内蔵チャンネル２０には、１つまたは複数の側面開口部２５２のみが設けられている。特定の実施形態では、異なるサイズの１つ超の側面開口部２５２が、内蔵チャンネル２０に沿って、または内蔵チャンネル２０の周囲を除く同じ長手方向位置に設けられる。
【００５０】
図６は、本開示の特定の態様による、別の容器１の断面図である。これらの実施形態では、内蔵チャンネル２０を容器１の本体２の内部に設けるのではなく、内蔵チャンネル２０は、本体２の内部容積と流体連通するように、容器１の本体２の外部に設けられている。同様に、チャンネル壁２１は、単独で、または本体２の側壁２２の一部と組み合わせて、外部で本体２の内部容積と流体連通する内蔵チャンネル２０を規定する。特定の実施形態では、チャンネル壁２１は、本体２の側壁２２に溶接、接着、またはその他の方法で恒久的に取り付けられ得る。特定の実施形態では、チャンネル壁２１は、本体２と一体的に形成され得る。１つまたは複数の下部開口部２５は、内蔵チャンネル２０と流体連通する本体２の側壁２２に設けられ得る。蓋３は、それに応じて適合される。特に、蓋３の突起３１は、蓋３の外側縁３２の外部に配置されている。特定の実施形態では、内蔵チャンネル２０は、インサイドアウト構成の長さによって作られた窪みを有するインサイドアウト構成に配置される。特定の実施形態では、内蔵チャンネル２０は、容器１の本体２の周りに巻き付けられるか、または他の美的構成で配置される。
【００５１】
図７Ａは、本開示の特定の態様による、別の容器１の断面図である。これらの実施形態では、内蔵チャンネル２０を容器１の内部または外部に設けるのではなく、内蔵チャンネル２０は、本体２の側壁２２内に、または容器１の本体２の周囲に設けられる。特定の実施形態では、内蔵チャンネル２０は、溶接、接着、またはその他の方法で本体２に恒久的に取り付けられ得る。特定の実施形態では、内蔵チャンネル２０は、本体２と一体的に形成され得る。特定の実施形態では、蓋３上の突起３１は、内蔵チャンネル２０の上部分のプロファイルに適合する下向きに延びる溝３４を含む。内蔵チャンネル２０の上部は、溝３４に適合することができ、それによって、蓋３の本体２への結合が容易になる。あるいは、図７Ｂに示すように、下向きに延びる溝３４を内蔵チャンネル２０に嵌め込むことで、こぼれずに蓋３を本体２に密封することが容易になる。
【００５２】
図８Ａ〜図８Ｄは、本開示のある態様による、別の容器１を示す。これらの実施形態では、容器１は概して、図８Ａに示すように、上から下に向かって、先細り形状を有する。内蔵チャンネル２０は、容器１の本体２の周囲に設けられている。特定の実施形態では、図８Ｂに示すように、本体２内に仕切り２７が設けられている。本体２内の内部容積は、仕切り２７によって上部容積２８と下側容積２９とに仕切られている。容器１は上から下に向かって先細り形状をしているので、仕切り２７の周長は、それが容器１の高さに沿った特定の水平方向の位置に収まり得るように決定され得る。
【００５３】
図８Ｃは、容器１の上面図である。本体２の側壁２２は、２つの端部２２１、２２２を有する概ねらせん状の断面を有する。内蔵チャンネル２０は、内蔵チャンネル２０の一端（図８Ｃの上端）が側壁２２の一端部２２１を接続し、内蔵チャンネル２０の反対側の端（図８Ｃの下端）が側壁２２の他方の端部２２２を接続するように配置されている。この配置は、容器１を積み重ねる際に特に有効である。なぜなら、容器１が他の容器１の上に置かれると、下側の容器１の内部容積を完全に利用して、上側の容器１を保持または収容することができるからである。したがって、容器１の積み重ねの全体的なサイズは最小限に抑えられる。
【００５４】
図８Ｄに示すように、３つの容器１Ａ、１Ｂ、１Ｃを一緒に積み重ねる配置がある。第１容器１Ａは、第１容器１Ａを保持または収容することができる内部容積を有する第２容器１Ｂの上に置かれる。第２容器１Ｂは、第２容器１Ｂを保持または収容することができる内部容積を有する第３容器１Ｃの上に置かれる。３つの容器１Ａ、１Ｂ、１Ｃを積み重ねた後、第１容器１Ａの内蔵チャンネル２０Ａは、第２容器１Ｂの内蔵チャンネル２０Ｂの隣に配置され、次いで第３容器１Ｃの内蔵チャンネル２０Ｃの隣に配置される。
【００５５】
蓋３は必ずしも必要ではない。特定の実施形態では、内蔵チャンネル２０は、本体２の外側縁３２を超えて突出しない。蓋３の代わりに、図９Ａに示すように、容器１が飲料で満たされた後に、容器１の本体２の上にプラスチック製の密封フィルム４が適用され得る。プラスチック製の密封フィルム４の適用は、本分野でよく知られている。特定の実施形態では、内蔵チャンネル２０は、ベローズチューブ部２６を含む。プラスチック製の密封フィルム４を剥離した後、内蔵チャンネル２０は、容器１の本体２の外側に突出するように延長され得る。特定の実施形態では、内蔵チャンネル２０は、容器１の本体２の内部で予め曲げられたり、座屈される。プラスチック製の密封フィルム４を剥離した後、内蔵チャンネル２０は、その自然な構成を復元することができ、それによって、本体２の外側縁３２を超えて突出する。同様に、容器１の本体２は、本開示の突起３１のない通常の蓋と一緒に使用され得る。特定の実施形態では、プラスチック製の密封フィルム４は、図９Ｂに示すように、内蔵チャンネル２０の上の位置に予め設けられた密封開口部４１を含む。プラスチック製の密封フィルム４は剥離する必要はなく、代わりに密封開口部４１を剥離または除去して、容器１の本体２の外側に突出するように、または消費者が飲料および固体を容器１から引き出すために使用できる開口部を開放するように内蔵チャンネル２０が延長され得る。
【００５６】
当業者は、本開示を検討した後、容器が他の適切な部品、変形例、および配置を有し得ることを理解するであろう。本開示は特定の実施形態に関して説明されてきたが、当業者に明らかな他の実施形態もまた、本考案の範囲内である。したがって、本考案の範囲は、以下の特許請求の範囲によってのみ規定されることが意図される。
【図１】
0003234543.tif 000003
【図２Ａ】
0003234543.tif 000004
【図２Ｂ】
0003234543.tif 000005
【図２Ｃ】
0003234543.tif 000006
【図３】
0003234543.tif 000007
【図４Ａ】
0003234543.tif 000008
【図４Ｂ】
0003234543.tif 000009
【図４Ｃ】
0003234543.tif 000010
【図４Ｄ】
0003234543.tif 000011
【図５】
0003234543.tif 000012
【図６】
0003234543.tif 000013
【図７Ａ】
0003234543.tif 000014
【図７Ｂ】
0003234543.tif 000015
【図８Ａ】
0003234543.tif 000016
【図８Ｂ】
0003234543.tif 000017
【図８Ｃ】
0003234543.tif 000018
【図８Ｄ】
0003234543.tif 000019
【図９Ａ】
0003234543.tif 000020
【図９Ｂ】
0003234543.tif 000021